(57)【要約】【課題】より好適に消費電力を低減することができる携帯端末を提供する。【解決手段】省電力状態又はアクティブ状態で動作可能なコントローラと、他の装置との無線通信接続が可能な無線デバイスと、を備え、前記コントローラが省電力状態であり、かつ前記無線通信接続が確立されている状態において、前記無線通信接続が切断されたとき、前記無線デバイスは、前記コントローラを省電力状態からアクティブ状態に移行させ、前記コントローラは、前記無線デバイスの電源をオフにする。【選択図】図３
2019096181.tif 000002
【特許請求の範囲】
【請求項１】
省電力状態又はアクティブ状態で動作可能なコントローラと、
他の装置との無線通信接続が可能な無線デバイスと、
を備え、
前記コントローラが省電力状態であり、かつ前記無線通信接続が確立されている状態において、前記無線通信接続が切断されたとき、前記無線デバイスは、前記コントローラを省電力状態からアクティブ状態に移行させ、前記コントローラは、前記無線デバイスの電源をオフにする
ことを特徴とする携帯端末。
【請求項２】
前記コントローラは、アクティブ状態から省電力状態に移行する前に、前記無線通信接続の状態を判定し、
前記無線通信接続が確立されていないと判定された場合には、前記コントローラは、前記無線デバイスの電源をオフにする
ことを特徴とする請求項１に記載の携帯端末。
【請求項３】
前記コントローラは、前記コントローラが省電力状態からアクティブ状態に移行したときに、要因を判定し、
前記要因が前記無線通信接続の切断であると判定された場合に、前記コントローラは、前記無線デバイスの電源をオフにする
ことを特徴とする請求項１又は２に記載の携帯端末。
【請求項４】
前記要因が前記無線通信接続の切断ではないと判定された場合に、前記コントローラは、前記無線デバイスの電源をオンに維持する
ことを特徴とする請求項３に記載の携帯端末。
【請求項５】
無線ＬＡＮ（Ｌｏｃａｌ  Ａｒｅａ  Ｎｅｔｗｏｒｋ）のＷａｋｅＯｎＷｉｒｅｌｅｓｓ機能におけるＬｉｎｋＣｈａｎｇｅイベントが発生したことに基づいて、前記コントローラは、前記要因が前記無線通信接続の切断であると判定する
ことを特徴とする請求項３又は４に記載の携帯端末。
【請求項６】
所定の時間経過又はユーザ操作に基づいて前記コントローラが省電力状態からアクティブ状態に移行した場合に、前記コントローラは、前記要因が前記無線通信接続の切断ではないと判定する
ことを特徴とする請求項３乃至５のいずれか１項に記載の携帯端末。
【請求項７】
前記無線デバイスは、省電力状態又はアクティブ状態で動作可能であり、省電力状態及びアクティブ状態のいずれにおいても前記無線通信接続が可能である
ことを特徴とする請求項１乃至６のいずれか１項に記載の携帯端末。
【請求項８】
前記無線デバイスは、無線ＬＡＮのＷａｋｅＯｎＷｉｒｅｌｅｓｓ機能により前記コントローラを省電力状態からアクティブ状態に移行させる
ことを特徴とする請求項１乃至７のいずれか１項に記載の携帯端末。
【請求項９】
省電力状態又はアクティブ状態で動作可能なコントローラと、
他の装置との無線通信接続が可能な無線デバイスと、
を備える携帯端末の制御方法であって、
前記コントローラが省電力状態であり、かつ前記無線通信接続が確立されている状態において、前記無線通信接続が切断されたとき、
前記コントローラを省電力状態からアクティブ状態に移行させるステップと、
前記無線デバイスの電源をオフにするステップと、
を行うことを特徴とする携帯端末の制御方法。
【請求項１０】
省電力状態又はアクティブ状態で動作可能なコントローラと、
他の装置との無線通信接続が可能な無線デバイスと、
を備える携帯端末の制御プログラムであって、
前記コントローラが省電力状態であり、かつ前記無線通信接続が確立されている状態において、前記無線通信接続が切断されたとき、
前記コントローラを省電力状態からアクティブ状態に移行させるステップと、
前記無線デバイスの電源をオフにするステップと、
を前記携帯端末に実行させることを特徴とする携帯端末の制御プログラム。
【発明の詳細な説明】
【技術分野】
【０００１】
本発明は、携帯端末、携帯端末の制御方法及び携帯端末の制御プログラムに関するものである。
【背景技術】
【０００２】
特許文献１に記載の情報処理装置は、稼動状態からサスペンド状態に切り替えることで消費電力を低減させる機能を有している。情報処理装置のＣＰＵ（Ｃｅｎｔｒａｌ  Ｐｒｏｃｅｓｓｉｎｇ  Ｕｎｉｔ）がＬＡＮ（Ｌｏｃａｌ  Ａｒｅａ  Ｎｅｔｗｏｒｋ）の無線アクセスポイントから特定のパケットを受信すると、情報処理装置は、サスペンド状態から稼動状態に復帰する。
【先行技術文献】
【特許文献】
【０００３】
【特許文献１】特開２００７−１１５０２２号公報
【発明の概要】
【発明が解決しようとする課題】
【０００４】
しかしながら、特許文献１の情報処理装置には無線通信の接続状態の考慮についての開示はなく、接続状態の変化によっては消費電力の低減が不十分となることがあり得る。
【０００５】
まず、情報処理装置（携帯端末）が、ＷａｋｅＯｎＷｉｒｅｌｅｓｓ（ＷｏＷ）機能を有している場合について説明する。携帯端末がサスペンド状態であり、無線ＬＡＮデバイスが省電力状態で無線通信接続されている状況で、携帯端末の移動等によって無線ＬＡＮデバイスにおける無線通信接続の切断が発生すると、無線ＬＡＮデバイスは、省電力状態からアクティブ状態へ移行し、ＣＰＵは、無線ＬＡＮデバイスからの信号を受けて省電力状態からアクティブ状態に移行する。この状態で接続可能な無線アクセスポイントが存在しない場合は、当然ながら、携帯端末は、無線通信の再接続を行うことはできない。したがって、一定時間が経過して携帯端末がサスペンド状態に移行するまで、無線ＬＡＮデバイスは、消費電力が省電力状態の場合よりも大きいアクティブ状態のままで維持される。
【０００６】
次に、携帯端末が、ＷｏＷ機能を有していない場合について説明する。ＣＰＵは、携帯端末がサスペンド状態である場合に省電力状態となる。そのため、携帯端末がサスペンド状態である状況で無線ＬＡＮデバイスが省電力状態からアクティブ状態へ移行したとしても、ＣＰＵは、無線ＬＡＮデバイスを制御することはできない。したがって、接続可能な無線アクセスポイントの存在の有無にかかわらず、携帯端末は、無線通信の再接続を行うことはできない。よって、無線ＬＡＮデバイスは、消費電力が省電力状態の場合よりも大きいアクティブ状態のままで維持される。
【０００７】
そこで本発明は、より好適に消費電力を低減することができる携帯端末、携帯端末の制御方法及び携帯端末の制御プログラムを提供することを目的とする。
【課題を解決するための手段】
【０００８】
本発明の一観点によれば、省電力状態又はアクティブ状態で動作可能なコントローラと、他の装置との無線通信接続が可能な無線デバイスと、を備え、前記コントローラが省電力状態であり、かつ前記無線通信接続が確立されている状態において、前記無線通信接続が切断されたとき、前記無線デバイスは、前記コントローラを省電力状態からアクティブ状態に移行させ、前記コントローラは、前記無線デバイスの電源をオフにすることを特徴とする携帯端末が提供される。
【０００９】
また、本発明の他の観点によれば、省電力状態又はアクティブ状態で動作可能なコントローラと、他の装置との無線通信接続が可能な無線デバイスと、を備える携帯端末の制御方法であって、前記コントローラが省電力状態であり、かつ前記無線通信接続が確立されている状態において、前記無線通信接続が切断されたとき、前記コントローラを省電力状態からアクティブ状態に移行させるステップと、前記無線デバイスの電源をオフにするステップと、を行うことを特徴とする携帯端末の制御方法が提供される。
【００１０】
また、本発明の更に他の観点によれば、省電力状態又はアクティブ状態で動作可能なコントローラと、他の装置との無線通信接続が可能な無線デバイスと、を備える携帯端末の制御プログラムであって、前記コントローラが省電力状態であり、かつ前記無線通信接続が確立されている状態において、前記無線通信接続が切断されたとき、前記コントローラを省電力状態からアクティブ状態に移行させるステップと、前記無線デバイスの電源をオフにするステップと、を前記携帯端末に実行させることを特徴とする携帯端末の制御プログラムが提供される。
【発明の効果】
【００１１】
本発明によれば、より好適に消費電力を低減することができる携帯端末、携帯端末の制御方法及び携帯端末の制御プログラムを提供することができる。
【図面の簡単な説明】
【００１２】
【図１】第１実施形態に係る無線通信システムを概略的に示す図である。
【図２】第１実施形態に係る携帯端末の構成を概略的に示すブロック図である。
【図３】第１実施形態に係る携帯端末の制御方法を示すフローチャートである。
【図４】第３実施形態に係る携帯端末の構成を概略的に示すブロック図である。
【発明を実施するための形態】
【００１３】
（第１実施形態）
以下、本発明の好適な実施形態について図面を用いて説明する。なお、本発明は以下の実施形態に限定されるものではなく、その要旨を逸脱しない範囲において適宜変更可能である。各図において同一、又は相当する機能を有するものは、同一符号を付し、その説明を省略又は簡潔にすることもある。
【００１４】
図１は、本実施形態に係る無線通信システムを概略的に示す図である。本実施形態の無線通信システムは、携帯端末１及び無線アクセスポイント２を有して構成される。携帯端末１は、例えば、携帯電話、スマートフォン、タブレットＰＣ（Ｐｅｒｓｏｎａｌ  Ｃｏｍｐｕｔｅｒ）、ラップトップＰＣ等であり得る。無線アクセスポイント２は、無線通信の基地局となる装置である。携帯端末１は、無線アクセスポイント２を経由してＬＡＮ回線に接続される。無線アクセスポイント２は、携帯端末１が接続され得る装置の一例であり、無線通信が可能な装置であればこれ以外の装置であってもよい。
【００１５】
携帯端末１はバッテリにより駆動されており、かつ無線通信機能を有するため、持ち運びが可能である。そのため、携帯端末１は無線アクセスポイント２の電波圏Ｒの圏外に持ち運ばれることもある。この場合、携帯端末１と無線アクセスポイント２との無線通信接続は切断される。
【００１６】
図２は、本実施形態に係る携帯端末１の構成を概略的に示すブロック図である。本実施形態の携帯端末１は、ＣＰＵ１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、フラッシュメモリ１４、入力装置１５、表示装置１６、無線ＬＡＮデバイス１７、タイマ１８及びバッテリ１９を備えて構成される。これらの各部はバスを介して相互に接続される。これにより携帯端末１は、演算、制御及び記憶を行うコンピュータとしての機能と、無線通信装置としての機能とを実現する。
【００１７】
ＣＰＵ１１は、ＲＯＭ１２、フラッシュメモリ１４等に記録されたプログラムを実行して、演算等の処理を行うプロセッサを備えた半導体ＩＣ（Ｉｎｔｅｇｒａｔｅｄ  Ｃｉｒｃｕｉｔ）である。また、ＣＰＵ１１は、ＲＯＭ１２、フラッシュメモリ１４等に記録されたプログラムを実行して、携帯端末１の各部の制御を行うコントローラとして機能する。
【００１８】
ＣＰＵ１１は、省電力状態又はアクティブ状態で動作可能である。ＣＰＵ１１が省電力状態である場合には、アクティブ状態である場合と比べて消費電力が低減される。省電力状態の一例としては、スリープ状態が挙げられる。スリープ状態とは、供給電圧を下げる等の手法によりＣＰＵ１１の消費電力が低減されている状態である。
【００１９】
ＲＯＭ１２は、不揮発性記憶媒体から構成され、携帯端末１の動作に用いられるプログラム等の必要な情報を記憶する。ＲＡＭ１３は、揮発性記憶媒体から構成され、ＣＰＵ１１の動作に必要な一時的なメモリ領域を提供する。フラッシュメモリ１４は、読み書きが可能な不揮発性記憶媒体であり、動作ログ、プログラム等の記憶を行う記憶装置である。
【００２０】
入力装置１５は、キーボード、操作ボタン、電源ボタン、ポインティングデバイス等であって、ユーザが携帯端末１を操作するために用いられる。ポインティングデバイスの例としては、マウス、トラックボール、タッチパネル等が挙げられる。表示装置１６は、液晶ディスプレイ、ＯＬＥＤ（Ｏｒｇａｎｉｃ  Ｌｉｇｈｔ  Ｅｍｉｔｔｉｎｇ  Ｄｉｏｄｅ）ディスプレイ等であって、画像、文字、インターフェース等の表示に用いられる。入力装置１５及び表示装置１６は、タッチパネルとして一体に形成されていてもよい。タイマ１８は、携帯端末１に設けられた計時装置である。バッテリ１９は、例えば、リチウムイオン電池等の充電式電池であり、携帯端末１の各部分に電力を供給する電源として機能する。
【００２１】
無線ＬＡＮデバイス１７は、ＩＥＥＥ８０２．１１規格に基づくデバイスである。無線ＬＡＮデバイス１７は、携帯端末１が無線アクセスポイント２を介して無線ＬＡＮ通信を行うための機能を提供する。無線ＬＡＮデバイス１７は、ＣＰＵ１１により制御される。無線ＬＡＮデバイス１７は、より一般的に無線デバイスと呼ばれることもある。
【００２２】
無線ＬＡＮデバイス１７は、省電力状態又はアクティブ状態で動作可能である。無線ＬＡＮデバイス１７は、省電力状態又はアクティブ状態のいずれにおいても無線アクセスポイント２との無線通信接続が可能である。無線ＬＡＮデバイス１７が省電力状態である場合には、アクティブ状態である場合と比べて消費電力が低減される。省電力状態の例としては、ＩＥＥＥ８０２．１１規格に規定されるパワーセーブ機能により無線ＬＡＮデバイス１７の消費電流が低減された状態が挙げられる。
【００２３】
無線ＬＡＮデバイス１７は、ＣＰＵ１１からの制御によって電源をオン又はオフに切り替えることが可能な構成を有している。なお、上述の省電力状態及びアクティブ状態は、電源がオンの状態に含まれる。また、無線ＬＡＮデバイス１７は、ＣＰＵ１１と信号線を介して相互に接続されている。無線ＬＡＮデバイス１７は、ＷＡＫＥ信号をアサートすることで、ＣＰＵ１１を省電力状態からアクティブ状態へ復帰させることが可能な構成を有している。この復帰処理には、無線ＬＡＮのＷｏＷ機能が用いられ得る。
【００２４】
携帯端末１は、消費電力を低減させるためのサスペンド機能を備えている。サスペンド機能とは、携帯端末１に対する操作が一定時間なされなかった等の場合に携帯端末１を通常状態からサスペンド状態に移行させる機能である。サスペンド状態においてはＣＰＵ１１がアクティブ状態から省電力状態に移行される。また、これに加えてＣＰＵ１１以外の周辺デバイスの一部又は全部に対する電源供給が停止されてもよい。これにより、携帯端末１の消費電力が通常状態の場合と比べて低減される。
【００２５】
なお、携帯端末１は、通常状態の場合だけでなく、サスペンド状態の場合においても無線ＬＡＮデバイス１７に電源を供給することができる。そのため、携帯端末１が通常状態、サスペンド状態のいずれであっても、無線ＬＡＮデバイス１７は、省電力状態又はアクティブ状態で動作可能である。
【００２６】
サスペンド状態において携帯端末１の入力装置１５に対して操作が行われると、ＣＰＵ１１が省電力状態からアクティブ状態に移行し、携帯端末１はサスペンド状態から通常状態に復帰（レジューム）する。また、サスペンド状態において、サスペンド状態に移行してから所定の時間が経過したことをタイマ１８が検出した場合にも、ＣＰＵ１１が省電力状態からアクティブ状態に移行し、携帯端末１はサスペンド状態から通常状態に復帰する。
【００２７】
携帯端末１はバッテリ１９により駆動されており、持ち運びが可能である。そのため、図１に示されるように、携帯端末１を持つユーザが無線アクセスポイント２の電波圏Ｒの外へ移動する可能性がある。携帯端末１が電波圏Ｒの外に移動すると、無線ＬＡＮデバイス１７は切断状態となり、省電力状態からアクティブ状態へと移行する。これにより、無線ＬＡＮデバイス１７の消費電力が増大する。
【００２８】
携帯端末１は、ＷｏＷ機能を有している。携帯端末１がサスペンド状態であり、無線ＬＡＮデバイス１７が省電力状態で無線通信接続されている状況で、携帯端末１の移動等によって、上述のように無線ＬＡＮデバイス１７における無線通信接続の切断が発生すると、無線ＬＡＮデバイス１７は、省電力状態からアクティブ状態へ移行し、ＣＰＵ１１は、無線ＬＡＮデバイス１７からの信号を受けて省電力状態からアクティブ状態に移行する。
【００２９】
接続可能な無線アクセスポイントが存在しない場合は、携帯端末１は、無線通信の再接続を行うことはできない。このままの状態であれば、一定時間が経過して携帯端末１がサスペンド状態に移行するまで、無線ＬＡＮデバイス１７は、消費電力が省電力状態の場合よりも大きいアクティブ状態のままで維持されるが、本実施形態の携帯端末１は、無線ＬＡＮデバイス１７の無線通信接続の状態に応じて無線ＬＡＮデバイス１７の電源のオン又はオフを制御する機能を有する。より具体的には、携帯端末１は、ＣＰＵ１１及び無線ＬＡＮデバイス１７が省電力状態であり、かつ無線通信接続が確立されている状態において、無線通信接続が切断されたときに以下の処理を行う。まず、無線ＬＡＮデバイス１７は、ＣＰＵ１１を省電力状態からアクティブ状態に移行させる。その後アクティブ状態に復帰したＣＰＵ１１は、無線ＬＡＮデバイス１７の電源をオフにさせる。これにより、無線ＬＡＮデバイス１７が切断状態になったときに電源がオフになるように制御されるので、携帯端末１の消費電力の増大が抑制される。
【００３０】
図３は、本実施形態に係る携帯端末１の制御方法を示すフローチャートである。図３のフローチャートは、携帯端末１をサスペンド状態に移行させる際の処理（サスペンド処理）、及び携帯端末１をサスペンド状態から復帰させる際の処理を示している。
【００３１】
図３に示すサスペンド処理は、携帯端末１に対する操作が一定時間なされなかった場合、所定の処理が完了した場合等に実行される。ここで、所定の処理とは、例えば携帯端末１が発注処理端末である場合は、発注処理である。図３に示すフローチャートは、主としてＣＰＵ１１及び無線ＬＡＮデバイス１７により実行される。以下、図３のフローチャートを参照しながら携帯端末１の制御方法について説明する。
【００３２】
サスペンド処理が開始されると、ステップＳ１０１において、ＣＰＵ１１は、無線ＬＡＮデバイス１７の無線通信接続が確立されているか否か（無線接続状態であるか否か）を判定する。無線ＬＡＮデバイス１７の無線通信接続が確立されていない場合、すなわち、無線ＬＡＮデバイス１７が切断状態である場合（ステップＳ１０１においてＮＯ）は、処理はステップＳ１０７に移行する。無線ＬＡＮデバイス１７の無線通信接続が確立されている場合、すなわち、無線ＬＡＮデバイス１７が接続状態である場合（ステップＳ１０１においてＹＥＳ）は、処理はステップＳ１０２に移行する。このように、無線通信接続の有無に応じて無線ＬＡＮデバイス１７のオン又はオフを切り替えることで、接続状態を考慮したより好適な消費電力低減が実現される。
【００３３】
なお、ステップＳ１０１又はステップＳ１０２の状態において、無線ＬＡＮデバイス１７は、省電力状態であり得る。無線ＬＡＮデバイス１７は、省電力状態であっても無線通信接続が可能であるため、無線ＬＡＮデバイス１７を省電力状態とすることにより消費電力が低減される。
【００３４】
ステップＳ１０２において、ＣＰＵ１１は、無線ＬＡＮデバイス１７のＷｏＷ機能を有効化する。ステップＳ１０３において、ＣＰＵ１１は、携帯端末１を通常状態からサスペンド状態に移行させる。このとき、ＣＰＵ１１は、アクティブ状態から省電力状態に移行する。なお、このサスペンド状態において、無線ＬＡＮデバイス１７の電源は、ＷｏＷ機能が実行可能なようにオンに維持されたままである。
【００３５】
ステップＳ１０４において、所定の復帰要因となるイベントが発生すると、ステップＳ１０５において、携帯端末１はサスペンド状態から通常状態に復帰する。このとき、ＣＰＵ１１は、省電力状態からアクティブ状態に移行する。ここで、所定の復帰要因とは、例えば、入力装置１５へのユーザ操作、タイマ１８により計測される所定の時間経過、無線ＬＡＮデバイス１７における無線通信接続の切断等であり得る。入力装置１５へのユーザ操作の例としてはユーザが携帯端末１の電源ボタンを押下する操作が挙げられる。
【００３６】
ステップＳ１０６において、ＣＰＵ１１は、ステップＳ１０４で発生したイベントの内容を確認し、復帰要因が無線ＬＡＮデバイス１７における無線通信接続の切断（無線切断）であるか否かを判定する。復帰要因が無線切断である場合（ステップＳ１０６においてＹＥＳ）処理はステップＳ１０７に移行する。復帰要因が無線切断でない場合（ステップＳ１０６においてＮＯ）、無線ＬＡＮデバイス１７の電源をオンに維持したままサスペンド処理は終了する。この場合、サスペンド状態の間、無線ＬＡＮデバイス１７の電源はオンのままであったため、サスペンド状態からの復帰後にもすぐに無線通信を利用することが可能となる。なお、復帰要因が無線切断でない場合の例としては、入力装置１５へのユーザ操作、タイマ１８により計測される所定の時間経過が例示される。
【００３７】
なお、ステップＳ１０６における判定において、ＣＰＵ１１は、例えば、フラッシュメモリ１４等の記憶媒体に記録された復帰要因を参照することにより復帰要因の判定を行うことができる。
【００３８】
ステップＳ１０４からステップＳ１０６において行われ得る処理について復帰要因ごとにより詳細に説明する。
【００３９】
まず、復帰要因が無線ＬＡＮデバイス１７における無線通信接続の切断である場合について述べる。ステップＳ１０４において、無線ＬＡＮデバイス１７が切断状態になった場合には、無線ＬＡＮデバイス１７においてＷｏＷ機能のＬｉｎｋＣｈａｎｇｅイベントが発生する。無線ＬＡＮデバイス１７は、復帰要因が無線通信接続の切断である旨をフラッシュメモリ１４等に記録する。また、無線ＬＡＮデバイス１７は、ＷｏＷ機能のＷＡＫＥ信号を信号線にアサートし、ＣＰＵ１１に供給することにより、ＣＰＵ１１を省電力状態からアクティブ状態に復帰させる。これにより、ステップＳ１０５において、携帯端末１は、サスペンド状態から通常状態に復帰する。その後、ステップＳ１０６における処理では、復帰要因が無線切断であると判定されるため、処理はステップＳ１０７に移行する。
【００４０】
次に、復帰要因が入力装置１５へのユーザ操作である場合について述べる。ステップＳ１０４において、入力装置１５がユーザ操作のイベントを検出すると、入力装置１５は、復帰要因が入力装置１５へのユーザ操作である旨をフラッシュメモリ１４等に記録する。また、入力装置１５は、ＣＰＵ１１を省電力状態からアクティブ状態に復帰させる。これにより、ステップＳ１０５において、携帯端末１は、サスペンド状態から通常状態に復帰する。その後、ステップＳ１０６における処理では、復帰要因が無線切断でないと判定されるため、処理は終了する。
【００４１】
次に、復帰要因が所定の時間経過である場合について述べる。ステップＳ１０４において、サスペンド状態に移行してから所定の時間が経過したというイベントをタイマ１８が検出した場合には、タイマ１８は、復帰要因が所定の時間経過である旨をフラッシュメモリ１４等に記録する。また、タイマ１８は、ＣＰＵ１１を省電力状態からアクティブ状態に復帰させる。これにより、ステップＳ１０５において、携帯端末１は、サスペンド状態から通常状態に復帰する。その後、ステップＳ１０６における処理では、復帰要因が無線切断でないと判定されるため、処理は終了する。
【００４２】
ステップＳ１０７において、ＣＰＵ１１は、無線ＬＡＮデバイス１７の電源をオフにする。これにより、無線ＬＡＮデバイス１７での電力の消費が抑制される。
【００４３】
ステップＳ１０８において、ＣＰＵ１１は、携帯端末１を通常状態からサスペンド状態に移行させる。このとき、ＣＰＵ１１は、アクティブ状態から省電力状態に移行する。
【００４４】
ステップＳ１０９において、所定の復帰要因となるイベントが発生すると、ステップＳ１１０において、携帯端末１はサスペンド状態から通常状態に復帰する。このとき、ＣＰＵ１１は、省電力状態からアクティブ状態に移行する。ここで、所定の復帰要因とは、例えば、入力装置１５へのユーザ操作、タイマ１８により計測される所定の時間経過等であり得る。
【００４５】
ステップＳ１１１において、ＣＰＵ１１は、無線ＬＡＮデバイス１７の電源をオンにして処理は終了する。無線ＬＡＮデバイス１７の起動及び無線アクセスポイント２への無線通信接続の確立の後、携帯端末１による無線通信の利用が可能となる。
【００４６】
以上のように、携帯端末１は、ＣＰＵ１１が省電力状態であり、かつ無線通信接続が確立されている状態において、無線通信接続が切断されたときに以下の処理を行う。まず、無線ＬＡＮデバイス１７は、ＣＰＵ１１を省電力状態からアクティブ状態に移行させる。その後アクティブ状態に復帰したＣＰＵ１１は、無線ＬＡＮデバイス１７の電源をオフにさせる。これにより、無線ＬＡＮデバイス１７が切断状態になったときに電源がオフになるように制御されるので、携帯端末１の消費電力の増大が抑制される。
【００４７】
したがって、本実施形態によれば、より好適に消費電力を低減することができる携帯端末、携帯端末の制御方法及び携帯端末の制御プログラムを提供することができる。
【００４８】
また、上述の効果は無線ＬＡＮデバイス１７に備えられている機能により得られていることから、本実施形態の携帯端末１は、通常の無線ＬＡＮに用いられる装置に新たなハードウェアを追加することが必須ではない。そのため、追加のコストを発生させずに消費電力を低減することができる携帯端末１を提供することができる。
【００４９】
（第２実施形態）
以下に、第２実施形態について説明する。第２実施形態の携帯端末１’（図示せず）が、第１実施形態の携帯端末１と異なる点は、ＷｏＷ機能を有していない点である。しかしながら、第２実施形態の携帯端末１’の無線ＬＡＮデバイス１７’（図示せず）は、ＷｏＷ機能を有していない一般的な携帯端末に使用されるものとは以下の点で異なる。携帯端末１’がサスペンド状態であり、無線ＬＡＮデバイス１７’が省電力状態で無線通信接続されている状況で、携帯端末１’の移動等によって無線ＬＡＮデバイス１７’における無線通信接続の切断が発生すると、無線ＬＡＮデバイス１７’は、省電力状態からアクティブ状態へ移行し、ＣＰＵ１１’（図示せず）を省電力状態からアクティブ状態に移行させるための信号を送出する。ＣＰＵ１１’は、無線ＬＡＮデバイス１７’からの信号を受けて、省電力状態からアクティブ状態へ移行する。本実施形態の携帯端末１’の処理は、図３のフローチャートにおいて、ステップＳ１０２の処理を除外したものに相当する。携帯端末１’のその他の構成、処理及び動作は、上述した点を除いて第１実施形態の携帯端末１と同様であるため説明を省略する。
【００５０】
したがって、本実施形態によっても、より好適に消費電力を低減することができる携帯端末、携帯端末の制御方法及び携帯端末の制御プログラムを提供することができる。
【００５１】
上述の第１実施形態において説明した携帯端末１と第２実施形態において説明した携帯端末１’とは、以下の第３実施形態のようにも構成することができる。
【００５２】
（第３実施形態）
図４は、第３実施形態に係る携帯端末３の構成を概略的に示すブロック図である。携帯端末３は、コントローラ３１及び無線デバイス３７を備える。コントローラ３１は、省電力状態又はアクティブ状態で動作可能である。無線デバイス３７は、他の装置との無線通信接続が可能である。コントローラ３１が省電力状態であり、かつ無線通信接続が確立されている状態において、無線通信接続が切断されたとき、無線デバイス３７は、コントローラ３１を省電力状態からアクティブ状態に移行させ、コントローラ３１は、無線デバイス３７の電源をオフにする。
【００５３】
このような構成によっても、より好適に消費電力を低減することができる携帯端末を提供することができる。
【００５４】
（その他の実施形態）
なお、上述の実施形態は、いずれも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００５５】
上述の実施形態の機能を実現するように該実施形態の構成を動作させるプログラムを記憶媒体に記録させ、記憶媒体に記録されたプログラムをコードとして読み出し、コンピュータにおいて実行する処理方法も各実施形態の範疇に含まれる。すなわち、コンピュータ読取可能な記憶媒体も各実施形態の範囲に含まれる。また、上述のプログラムが記録された記憶媒体だけでなく、そのプログラム自体も各実施形態に含まれる。また、上述の実施形態に含まれる１又は２以上の構成要素は、各構成要素の機能を実現するように構成されたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の回路であってもよい。
【００５６】
該記憶媒体としては例えばフロッピー（登録商標）ディスク、ハードディスク、光ディスク、光磁気ディスク、ＣＤ（Ｃｏｍｐａｃｔ  Ｄｉｓｋ）−ＲＯＭ、磁気テープ、不揮発性メモリカード、ＲＯＭを用いることができる。また該記憶媒体に記録されたプログラム単体で処理を実行しているものに限らず、他のソフトウェア、拡張ボードの機能と共同して、ＯＳ（Ｏｐｅｒａｔｉｎｇ  Ｓｙｓｔｅｍ）上で動作して処理を実行するものも各実施形態の範疇に含まれる。
【００５７】
上述の実施形態の一部又は全部は、以下の付記のようにも記載され得るが、以下には限られない。
【００５８】
（付記１）
省電力状態又はアクティブ状態で動作可能なコントローラと、
他の装置との無線通信接続が可能な無線デバイスと、
を備え、
前記コントローラが省電力状態であり、かつ前記無線通信接続が確立されている状態において、前記無線通信接続が切断されたとき、前記無線デバイスは、前記コントローラを省電力状態からアクティブ状態に移行させ、前記コントローラは、前記無線デバイスの電源をオフにする
ことを特徴とする携帯端末。
【００５９】
（付記２）
前記コントローラは、アクティブ状態から省電力状態に移行する前に、前記無線通信接続の状態を判定し、
前記無線通信接続が確立されていないと判定された場合には、前記コントローラは、前記無線デバイスの電源をオフにする
ことを特徴とする付記１に記載の携帯端末。
【００６０】
（付記３）
前記コントローラは、前記コントローラが省電力状態からアクティブ状態に移行したときに、要因を判定し、
前記要因が前記無線通信接続の切断であると判定された場合に、前記コントローラは、前記無線デバイスの電源をオフにする
ことを特徴とする付記１又は２に記載の携帯端末。
【００６１】
（付記４）
前記要因が前記無線通信接続の切断ではないと判定された場合に、前記コントローラは、前記無線デバイスの電源をオンに維持する
ことを特徴とする付記３に記載の携帯端末。
【００６２】
（付記５）
無線ＬＡＮ（Ｌｏｃａｌ  Ａｒｅａ  Ｎｅｔｗｏｒｋ）のＷａｋｅＯｎＷｉｒｅｌｅｓｓ機能におけるＬｉｎｋＣｈａｎｇｅイベントが発生したことに基づいて、前記コントローラは、前記要因が前記無線通信接続の切断であると判定する
ことを特徴とする付記３又は４に記載の携帯端末。
【００６３】
（付記６）
所定の時間経過又はユーザ操作に基づいて前記コントローラが省電力状態からアクティブ状態に移行した場合に、前記コントローラは、前記要因が前記無線通信接続の切断ではないと判定する
ことを特徴とする付記３乃至５のいずれか１項に記載の携帯端末。
【００６４】
（付記７）
前記無線デバイスは、省電力状態又はアクティブ状態で動作可能であり、省電力状態及びアクティブ状態のいずれにおいても前記無線通信接続が可能である
ことを特徴とする付記１乃至６のいずれか１項に記載の携帯端末。
【００６５】
（付記８）
前記無線デバイスは、無線ＬＡＮのＷａｋｅＯｎＷｉｒｅｌｅｓｓ機能により前記コントローラを省電力状態からアクティブ状態に移行させる
ことを特徴とする付記１乃至７のいずれか１項に記載の携帯端末。
【００６６】
（付記９）
前記無線デバイスは、ＬｉｎｋＣｈａｎｇｅイベントの発生に基づき、前記コントローラを省電力状態からアクティブ状態に移行させる
ことを特徴とする付記８に記載の携帯端末。
【００６７】
（付記１０）
前記無線デバイスは、前記コントローラにＷＡＫＥ信号を供給することにより、前記コントローラを省電力状態からアクティブ状態に移行させる
ことを特徴とする付記８又は９に記載の携帯端末。
【００６８】
（付記１１）
前記コントローラが省電力状態であり、前記無線デバイスの電源がオフである場合において、前記コントローラが省電力状態からアクティブ状態に移行したとき、前記コントローラは、前記無線デバイスの電源をオンにする
ことを特徴とする付記１乃至１０のいずれか１項に記載の携帯端末。
【００６９】
（付記１２）
省電力状態又はアクティブ状態で動作可能なコントローラと、
他の装置との無線通信接続が可能な無線デバイスと、
を備える携帯端末の制御方法であって、
前記コントローラが省電力状態であり、かつ前記無線通信接続が確立されている状態において、前記無線通信接続が切断されたとき、
前記コントローラを省電力状態からアクティブ状態に移行させるステップと、
前記無線デバイスの電源をオフにするステップと、
を行うことを特徴とする携帯端末の制御方法。
【００７０】
（付記１３）
省電力状態又はアクティブ状態で動作可能なコントローラと、
他の装置との無線通信接続が可能な無線デバイスと、
を備える携帯端末の制御プログラムであって、
前記コントローラが省電力状態であり、かつ前記無線通信接続が確立されている状態において、前記無線通信接続が切断されたとき、
前記コントローラを省電力状態からアクティブ状態に移行させるステップと、
前記無線デバイスの電源をオフにするステップと、
を前記携帯端末に実行させることを特徴とする携帯端末の制御プログラム。
【符号の説明】
【００７１】
１、１’、３      携帯端末
２                無線アクセスポイント
１１、１１’      ＣＰＵ
１２              ＲＯＭ
１３              ＲＡＭ
１４              フラッシュメモリ
１５              入力装置
１６              表示装置
１７、１７’      無線ＬＡＮデバイス
１８              タイマ
１９              バッテリ
３１              コントローラ
３７              無線デバイス
【図１】
2019096181.tif 000003
【図２】
2019096181.tif 000004
【図３】
2019096181.tif 000005
【図４】
2019096181.tif 000006